(57)【要約】【課題】暗証番号の入力を間違っても、すぐには通報せず、再度暗証番号を入力できるようにして、ユーザの利便性を高めながら、不正入力を困難にようにして、防犯性を高める。【解決手段】警戒状態にあるとき、扉の開放を検知すると、第１暗証番号の入力を待つ。第１暗証番号が入力されるとき、音によって入力案内する。入力された第１暗証番号を認証できたとき、通報しない。第１暗証番号を認証できなかったとき、第１暗証番号とは桁数の異なる第２暗証番号の入力を待つ。第２暗証番号が入力されるとき、音による入力案内しない。入力された第２暗証番号を認証できたとき、通報しない。第２暗証番号を認証できなかったとき、通報する。【選択図】図３
2007179298.tif 000002
【特許請求の範囲】
【請求項１】
開閉部の開閉を検知する検知部と、入力された認証情報を認証できるか判定する認証部と、開閉部の開閉時に前記認証情報を認証できなかったとき、設定された連絡先に通報する通報部とを備え、認証部は、第１認証情報の入力に基づいて判定する第１認証方式と、第１認証情報とは種類の異なる第２認証情報の入力に基づいて判定する第２認証方式とを有し、認証部は、初期モードでは第１認証方式を実行し、第１認証方式により認証できなかったとき、異常モードに切り替えて第２認証方式を実行し、通報部は、第２認証方式により認証できなかったときに通報することを特徴とする防犯装置。
【請求項２】
認証情報を入力するときに入力案内を行う案内部を備え、案内部は、第１認証方式の実行時には入力案内を行い、第２認証方式の実行時には入力案内を行わないことを特徴とする請求項１記載の防犯装置。
【請求項３】
各認証情報は、暗証番号とされ、第１暗証番号の桁数と第２暗証番号の桁数とが異なることを特徴とする請求項２記載の防犯装置。
【請求項４】
案内部は、暗証番号の桁数に応じた回数だけ音を発して、入力案内することを特徴とする請求項３記載の防犯装置。
【請求項５】
第２認証方式は、暗証番号が入力されたとき、最後の番号から桁数分までの番号を第２暗証番号として、正規の第２暗証番号であるかを判定することを特徴とする請求項３または４記載の防犯装置。
【請求項６】
第２認証方式は、第２暗証番号の入力開始から一定時間経過したときに、入力された第２暗証番号に基づいて判定することを特徴とする請求項３〜５のいずれかに記載の防犯装置。
【請求項７】
第２認証方式は、第２暗証番号の入力後、一定時間経過したときに、入力された第２暗証番号に基づいて判定することを特徴とする請求項３〜５のいずれかに記載の防犯装置。
【請求項８】
異常モードから初期モードへの切り替えは、初期モードから異常モードに切り替わってから一定時間経過したときに行われることを特徴とする請求項１〜７のいずれかに記載の防犯装置。
【請求項９】
異常モードから初期モードへの切り替えは、指定された時刻になったときに行われることを特徴とする請求項１〜７のいずれかに記載の防犯装置。
【請求項１０】
異常モードから初期モードへの切り替えは、正規の第２認証情報が入力されたときに行われることを特徴とする請求項１〜７のいずれかに記載の防犯装置。
【請求項１１】
異常モードから初期モードへの切り替えは、第１認証情報が変更されたときに行われることを特徴とする請求項１〜７のいずれかに記載の防犯装置。
【請求項１２】
異常モードから初期モードへの切り替えは、連絡先から指令を受けたときに行われることを特徴とする請求項１〜７のいずれかに記載の防犯装置。
【発明の詳細な説明】
【技術分野】
【０００１】
本発明は、扉や窓等の開閉部が侵入者によって開かれたことを検知したときに、警報音を出し、通報する防犯装置に関する。
【背景技術】
【０００２】
防犯装置では、扉の開閉を検知するセンサを設け、扉を開いてから所定の時間内に暗証番号を入力するようになっている。侵入者が扉を開いた場合、暗証番号が入力されない、あるいは不正規の暗証番号が入力される。このとき、音声で侵入を知らせて侵入者を威嚇するとともに、通信回線を利用してセキュリティ会社等に設置された管理装置に通報を行う。ユーザが扉を開いた場合、所定時間内に正しい暗証番号が入力されるので、威嚇するための音声が発生されず、通報も行われない。
【０００３】
このように、扉の開閉には、外出時あるいは帰宅時の適切な開閉と侵入時の不法な開閉とがある。入力された暗証番号を認証することによって、適正な開閉と不法な開閉との区別を行っている。
【０００４】
ここで、暗証番号の入力の際に、再入力を何度も許可すると、暗証番号を解読される危険性がある。しかし、暗証番号の入力を１回に制限してしまうと、単純な暗証番号の入力ミスによっても通報が行われ、誤報が多くなってしまうといった問題がある。
【０００５】
そこで、一般的には、特許文献１に記載されているように、誤った暗証番号が設定回数入力された場合、所定の時間内は正常な暗証番号であっても受け付けないようにして、防犯性を向上させている。
【特許文献１】特開平１１−１３１８７７号公報
【発明の開示】
【発明が解決しようとする課題】
【０００６】
しかし、ユーザが急いでいるような場合、あせって暗証番号の入力ミスを続けてしまうおそれがある。すると、所定の時間は、ユーザであっても扉を開閉できなくなる。ユーザの利便性の点では、このように入力を受け付けない時間があるのは好ましくない。
【０００７】
ユーザの利便性を考えて、暗証番号の入力ミスをなくせるように、暗証番号を入力するとき、入力操作するごとに、ブザーを鳴動させて、入力案内のための報知音とする。ユーザにとっては、入力案内となるが、逆に侵入者にとっては、暗証番号の桁数がわかり、暗証番号が解読されやすくなってしまう問題がある。
【０００８】
そこで、本発明は、上記に鑑み、ユーザの利便性と防犯性の向上を図った防犯装置の提供を目的とする。
【課題を解決するための手段】
【０００９】
本発明は、開閉部の開閉を検知する検知部と、入力された認証情報を認証できるか判定する認証部と、開閉部の開閉時に前記認証情報を認証できなかったとき、設定された連絡先に通報する通報部とを備え、認証部は、第１認証情報の入力に基づいて判定する第１認証方式と、第１認証情報とは種類の異なる第２認証情報の入力に基づいて判定する第２認証方式とを有する。認証部は、初期モードでは第１認証方式を実行し、第１認証方式により認証できなかったとき、異常モードに切り替えて第２認証方式を実行し、通報部は、第２認証方式により認証できなかったときに通報する。
【００１０】
入力された第１認証情報が認証されなかったとき、異常モードに切り替わり、第２認証情報を入力すれば、認証される。したがって、ユーザが第１認証情報を入力ミスしても、第２認証情報を入力すればよく、誤報されることがなく、ユーザの利便性が高まる。しかし、第２認証情報は、第１認証情報とは種類が異なるので、このことを知らない侵入者は、正しい第２認証情報を入力することが困難となる。そのため、第２認証情報が認証されず、通報されるので、防犯性は高まる。
【００１１】
認証情報を入力するときに入力案内を行う案内部を備え、案内部は、第１認証方式の実行時には入力案内を行い、第２認証方式の実行時には入力案内を行わない。第１認証情報を入力するとき、音や表示等によって入力案内がされるので、入力ミスが減り、ユーザの利便性がよくなる。第２認証情報を入力するとき、入力案内がされないので、侵入者は第１認証情報と異なっていることに気付かず、第２認証情報が解読される危険性をなくせる。
【００１２】
各認証情報は、暗証番号とされ、第１暗証番号の桁数と第２暗証番号の桁数とが異なる。この場合、案内部は、第１暗証番号の桁数に応じた回数だけ音を発して、入力案内する。したがって、ユーザは、桁数を間違えることなく、第１暗証番号を入力できる。一方、異常モードになったとき、入力案内がないので、第２暗証番号を知らない者にとっては、第１暗証番号と同じと勘違いして、第１暗証番号と同じ桁数だけ入力することになり、認証されることはない。
【００１３】
第２認証方式は、暗証番号が入力されたとき、最後の番号から桁数分までの番号を第２暗証番号として、正規の第２暗証番号であるかを判定する。そして、第２認証方式は、第２暗証番号の入力開始から一定時間経過したときに、入力された第２暗証番号に基づいて判定する。あるいは、第２暗証番号の入力後、一定時間経過したときに、入力された第２暗証番号に基づいて判定する。
【００１４】
第２認証方式が実行されるときは、侵入者がいる可能性が高いので、早く異常を判断して、通報しなければならない。そこで、上記のように暗証番号を認定して、時間が来たら判定することにより、通報するまでの時間を短くでき、防犯性が高まる。
【００１５】
なお、異常モードから初期モードへの切り替えは、初期モードから異常モードに切り替わってから一定時間経過したとき、指定された時刻になったとき、正規の第２認証情報が入力されたとき、第１認証情報が変更されたとき、連絡先から指令を受けたときのいずれかに行われる。
【発明の効果】
【００１６】
本発明によると、第１認証方式のときには入力案内を行って、ユーザの利便性を重視した認証を行える。そして、ユーザが入力ミスしても、再入力可能とすることにより、余計な通報を防止することができる。また、第１認証方式により認証できなかったときには、認証方式を変えることにより、利便性よりも防犯性を重視した認証を行える。このとき、入力案内を行わないので、認証情報を秘匿でき、不正入力を防止できる。
【発明を実施するための最良の形態】
【００１７】
本実施形態の防犯装置を図１に示す。１は検知部、２は操作部、３はＬＥＤ、４はブザー、５は音声出力回路、６は通信制御回路、７は電源回路、８は制御部である。防犯装置は、ユーザの住居に設置され、扉や窓といった開閉部の開閉時に暗証情報を認証することにより、ユーザ以外の侵入者を判別して、設定された連絡先に通報する。
【００１８】
検知部１は、接点がオンオフするリミットスイッチからなり、扉や窓といった開閉部の近傍に設けられる。そして、開閉部の開閉を検知して、制御部８に検知信号を出力する。制御部８は、マイクロコンピュータからなり、データを記憶するメモリ９を有している。制御部８は、検知部１からの検知信号に基づき、入力された暗証情報の判定を行う。そして、警戒状態のとき、判定結果に基づいて、各部や回路を制御する。警報解除状態のとき、扉等が開閉されたときの検知信号を無視して、各部や回路の動作を規制する。
【００１９】
操作部２は、警戒状態と警戒解除状態との切り替えや認証情報としての暗証番号を入力するためのボタンを有し、また警戒状態のとき通報を停止するためのボタンも有する。ＬＥＤ３は、現在の防犯装置の状態を報知する。例えば警戒解除状態では点灯し、警戒状態では点滅する。ＬＥＤ３の代わりに、液晶ディスプレイのような表示装置であってもよい。ブザー４は、暗証番号を入力するときや、操作部２が操作されたときに音を発する。
【００２０】
音声出力回路５は、検知部１が検知信号を出力したときに音声を出力する。例えば、扉の開放を検知したときには「侵入です」、警戒解除状態から警戒状態に移行したときには「警戒を設定しました」と報知する。通信制御回路６は、通信回線に接続され、設定された連絡先と通信を行う。連絡先は、セキュリティ会社の管理装置とされ、通信回線は、電話回線あるいはＬＡＮ等のネットワークとされ、有線あるいは無線による所定の通信方式によって管理装置とデータの送受信を行う。なお、連絡先は、管理装置に限らず、例えばユーザの携帯電話であってもよい。電源回路７は、商用電源からの交流電源を直流電源に変換し、所定の電圧にして各部や回路に供給する。
【００２１】
制御部８は、警戒状態において、扉等が開いたことが検知部１により検知されたとき、操作部２から入力された暗証番号の認証を行う。すなわち、メモリ９に登録されている暗証番号と入力された暗証番号とが合致するかを照合して、認証できるか否かを判定する。認証できなかったとき、管理装置に通報するとともに、警報として音声を出力する。認証できたとき、通報も警報も行わない。
【００２２】
防犯装置の一般的な動作フローチャートを図２に示す。警戒解除状態にあるとき、制御部８は、検知部１からの検知信号があっても、その変化を検知しない（ステップＳ１１）。操作部２の警戒ボタンを操作する（ステップＳ１２）と、制御部８は、警戒解除状態から警戒状態へ移行する。警戒状態に移行するための暗証番号入力待ち状態となる。このとき、音声出力回路５の動作により、暗証番号を入力するように音声案内するとよい。
【００２３】
制御部８は、暗証番号が入力されたことを確認する（ステップＳ１３）と、入力された暗証番号の認証を行う。正常に暗証番号が入力されたと判定すると、外出のために設定された時間（例えば３分間）の間、扉等の開閉を無視する。この間の扉の開閉は、外出のために開閉したものと判断し、警報音の鳴動や通報を行わない（ステップＳ１４）。
【００２４】
設定された時間の経過後、警戒状態への移行を完了する（ステップＳ１５）。ＬＥＤ３は、暗証番号が入力されるのを確認している間は点滅する。警戒状態の移行を完了すると、ＬＥＤ３は消灯から点灯に変化する。これによって、ユーザに現状を知らせるとともに、警戒状態にあることを明確にすることができる。
【００２５】
警戒状態のとき、制御部８は、検知信号に基づいて、扉が開いているのを確認する（ステップＳ１６）と、音声出力回路５より、「侵入です」と出力する。そして、操作部２の解除ボタンが押されてから所定時間内（例えば３０秒）に暗証番号が入力されるか確認する（ステップＳ１７）。
【００２６】
ユーザの帰宅の場合には、解除ボタンが押され、正しい暗証番号が入力される。すると、制御部８は、音声出力を停止し、通報も行わず、警戒解除状態へ移行する（ステップＳ１８）。誤った暗証番号が入力されたり、所定時間がタイムアウトとなったりしたとき、制御部８は、暗証番号を認証できないので、通報する（ステップＳ１９）。
【００２７】
ここで、暗証番号を入力する期間が所定時間だけであると、ユーザが暗証番号の入力ミスに気付かなった場合、再入力することができず、誤報となってしまう。再入力の機会がないと、ユーザの利便性が損なわれる。一方、入力する機会を増やすと、暗証番号を解読されるおそれがあり、防犯性が低下する。
【００２８】
そこで、ユーザの利便性および防犯性を両立させるべく、制御部８は、１回目で認証できなくても、２回目で認証できるように、２つの認証方式を実行する。認証方式としては、第１暗証番号の入力に基づいて判定する第１認証方式と、第２暗証番号の入力に基づいて判定する第２認証方式とである。第１暗証番号と第２暗証番号とは桁数が異なり、異種の暗証番号とされる。第１暗証番号は、例えば４桁とされ、第２暗証番号は、これより桁数が多く、例えば６桁とされる。
【００２９】
制御部８は、警戒状態において、通常は初期モードとして、第１認証方式を実行する。第１認証方式により認証できなかったとき、初期モードから異常モードに切り替え、第２認証方式を実行する。第２認証方式により認証できなかったとき、通報を行う。また、制御部８は、第１認証方式の実行中には、音による入力案内を行い、第２認証方式の実行中には、この入力案内を行わない。すなわち、操作部２から番号が入力されるたびに、ブザー４が鳴る。したがって、ブザー４は、第１暗証番号の桁数と同じ回数だけ鳴る。なお、ブザー４の代わりに、音声出力回路により、「次を入力して下さい」といったように、第１暗証番号の桁数分を入力し終わるまで、入力を促す入力案内を行ってもよい。
【００３０】
本実施形態の防犯装置の動作フローチャートを図３に示す。まず、防犯装置は警戒解除状態にある（ステップＳ２１）。外出あるいは就寝のため、警戒状態に移行するように警戒ボタンが操作される（ステップＳ２２）。第１暗証番号が入力される（ステップＳ２３）と、警戒状態への移行を完了する（ステップＳ２４）。ここまでの動作は、図２のステップＳ１１〜Ｓ１５と同じである。
【００３１】
警戒状態では、初期モードとされる。扉の開放が発生した（ステップＳ２５）とき、制御部８は、現在のモードを確認する。すなわち、暗証番号の誤入力の有無を確認する（ステップＳ２６）。
【００３２】
誤入力がない場合は、初期モードであり、第１認証方式が実行される。ユーザの帰宅による開放の場合であれば、解除ボタンが押され、暗証番号の入力待ちとなる。このとき、「暗証番号を入力してください」と音声出力する（ステップＳ２７）。ユーザが操作部２により番号を入力するとき、ユーザの利便性を重視して、番号を入力するごとにブザー音を鳴動する。
【００３３】
制御部８は、第１暗証番号の桁数分の入力を検知する（ステップＳ２８）。そして、所定桁数（例えば４桁）の番号入力を検知すると、第１暗証番号が入力されたと判断し、予め登録されている第１暗証番号と照合し、認証できるか判定する（ステップＳ２９）。
【００３４】
ステップＳ２９において、正しい第１暗証番号の入力が行われたと判定した場合、正規のユーザであることを認証し、通報しない（ステップＳ３１）。そして、警戒状態から警戒解除状態に移行する。
【００３５】
照合の結果、入力された第１暗証番号と登録されている第１暗証番号とが一致しない場合、不正入力が行われたと判定して、不正入力の履歴をメモリに記憶し（ステップＳ３０）、ステップＳ２６へ戻る。
【００３６】
ステップＳ２６において、不正入力の履歴がある場合、防犯性を向上させるため、制御部８は、初期モードから異常モードに切り替える。異常モードへの切替は、不正入力が一度行われた場合に実行するか、あるいは設定回数行われた場合に実行してもよい。なお、扉の開放時の検知信号が入力してから設定時間経過しても、第１暗証番号の入力がない場合には、制御部８は、設定時間経過後に初期モードから異常モードに切り替える。
【００３７】
異常モードでは、第２認証方式が実行される。このとき、「第二の暗証番号を入力してください」と音声出力する（ステップＳ３２）。ユーザが操作部により番号を入力するとき、制御部８は、暗証番号の桁数がわからないようするために、入力ごとにブザー音を鳴動させない。そして、第２暗証番号の入力開始から一定時間内は、何桁でも番号の入力を受け付ける（ステップＳ３３）。
【００３８】
この一定時間が経過すると、制御部８は、入力された複数桁の番号に対して、最後に入力された番号から第２暗証番号の桁数分までの番号を第２暗証番号と認定して、登録されている第２暗証番号と照合する（ステップＳ３４）。例えば、番号入力できる一定時間を３０秒として、その間に８桁の番号が入力されたとき、第２暗証番号の桁数が６桁であれば、８桁のうち３桁目から８桁目までの６桁の番号を第２暗証番号とする。このようにして、第２暗証番号を認定することにより、ユーザが入力ミスしても、もう一度最初から第２暗証番号を入力すれば、正しい第２暗証番号を入力することができる。したがって、ユーザにとっては、利便性が増すことになる。
【００３９】
制御部８は、照合の結果、入力された第２暗証番号と登録されている第２暗証番号とが一致しない場合、不正入力が行われたと判定して、通報を行う（ステップＳ３５）。通報は、不正入力が一度行われた場合に実行するか、あるいは設定回数行われた場合に実行してもよい。
【００４０】
入力された第２暗証番号と登録されている第２暗証番号とが一致した場合、正しい第２暗証番号の入力が行われたと判定して、通報しない（ステップＳ３１）。そして、警戒状態から警戒解除状態に移行する。
【００４１】
次に、他の実施形態の防犯装置の動作フローチャートを図４に示す。ステップＳ４１〜Ｓ５２までは、上記のステップＳ２１〜Ｓ３２までと同じである。ここでは、第２暗証番号を認証するとき、制御部８は、何桁でも番号の入力を受け付け、最後に番号が入力されてから所定の待機時間、入力がないときに第２暗証番号の判定を行う（ステップＳ５３）。この場合も上記と同様、最後に入力された番号から第２暗証番号の桁数分までの番号を第２暗証番号と認定し、この第２暗証番号と登録されている第２暗証番号とを照合する（ステップＳ５４）。例えば、待機時間を５秒間とし、この間に番号の入力がなくなった時点で暗証番号の入力待ちを終了する。この間に１０桁入力されたとき、第２暗証番号の桁数が６桁であれば、１０桁のうち５桁目からの６桁の番号を第２暗証番号とする。
【００４２】
制御部８は、正規入力が行われたと判定した場合、通報しない（ステップＳ５１）。そして、警戒状態から警戒解除状態に移行する。不正入力が行われたと判定した場合、通報を行う（ステップＳ５５）。
【００４３】
以上のように、第１認証方式により第１暗証番号を認証できなかったとき、初期モードから異常モードに切り替えて、第２認証方式による認証を行うことにより、ユーザにとっては、暗証番号を入力ミスしても、再度暗証番号を入力できるので、利便性が高まる。しかも、誤報を防止できる。また、最初とは異なる認証方式となるので、不正入力が困難となり、防犯性が増す。
【００４４】
ところで、上記のように第２暗証番号による認証を行った場合、警戒解除状態から警戒状態に移行したとき、異常モードのままである。これでは、ユーザが戸惑うので、異常モードから初期モードに切り替える必要がある。そのため、制御部８は、所定の基準が満たされたときに、異常モードから初期モードに切り替える。
【００４５】
所定の基準としては、以下のものが上げられる。
１．初期モードから異常モードに切り替わってから一定時間経過したときに行う。一定時間、例えば１２時間経過したときに、モードが切り替わる。
２．指定された時刻になったときに行う。例えば、翌日の午前０時になったときに、モードが切り替わる。
３．正規の第２暗証番号が入力されたときに行う。
４．第１暗証番号が変更されたときに行う。
５．連絡先から指令を受けたときに行う。例えば、管理装置あるいはユーザの携帯電話からキャンセル信号が送信され、制御部が、これを受信すると、モードを切り替える。
これらのうち、いずれか１つの基準を採用してもよく、あるいは複数の基準を採用してもよい。
【００４６】
なお、本発明は、上記実施形態に限定されるものではなく、本発明の範囲内で上記実施形態に多くの修正および変更を加え得ることは勿論である。暗証番号を認証情報として利用したが、これに限らず、指紋、虹彩等の生体認証を採用してもよい。また、ＩＣカード、無線ＩＣカード、携帯電話、ＵＳＢメモリ等のユーザ情報を記憶した端末装置を用いてもよい。防犯装置に、端末装置と有線あるいは無線で通信を行う通信インターフェースを設け、端末送信から送信される認証情報を認証する。
【００４７】
また、第１認証情報および第２認証情報として、暗証番号と上記の認証情報との組み合わせ、あるいは上記の認証情報同士を組み合わせてもよい。そして、それぞれの認証情報に応じて、音声や表示によって入力案内を行う。
【図面の簡単な説明】
【００４８】
【図１】本発明の防犯装置の概略構成を示すブロック図
【図２】警戒状態になったときの防犯装置の一般的な動作フローチャート
【図３】本実施形態の警戒状態になったときの防犯装置の動作フローチャート
【図４】他の形態の警戒状態になったときの防犯装置の動作フローチャート
【符号の説明】
【００４９】
１    検知部
２    操作部
３    ＬＥＤ
４    ブザー
５    音声出力部
６    通信制御回路
８    制御部
【図１】
2007179298.tif 000003
【図２】
2007179298.tif 000004
【図３】
2007179298.tif 000005
【図４】
2007179298.tif 000006